(57)【要約】【課題】ＨＤＭＩソース機器のリセット不良をＨＤＭＩシンク機器が検知する技術を提供する。【解決手段】外部のＨＤＭＩソース機器からのＴＭＤＳ信号を受けこのＴＭＤＳ信号からＴＭＤＳクロックの有無を検出しこの検出結果を出力するＨＤＭＩレシーバと、前記ＨＤＭＩレシーバから出力される前記検出結果を入力しこの入力された検出結果からＴＭＤＳクロックの有無を判定するマイコンとを備え、前記ＨＤＭＩソース機器との接続に切替後、前記マイコンが前記入力された検出結果がＴＭＤＳクロック有りであると判定した場合には前記ＴＭＤＳ信号を用いてＨＤＭＩシンク機器として働き、前記マイコンが前記入力された検出結果がＴＭＤＳクロック無しであると判定した場合にはＨＤＭＩシンク機器として働かないことを特徴とする電子機器。【選択図】  図３
2011035452.tif 000002
【特許請求の範囲】
【請求項１】
外部のＨＤＭＩ（High-Definition Multimedia Interface）ソース機器からのＴＭＤＳ（Transition Minimized Differential Signaling）信号を受けこのＴＭＤＳ信号からＴＭＤＳクロックの有無を検出しこの検出結果を出力するＨＤＭＩレシーバと、
前記ＨＤＭＩレシーバから出力される前記検出結果を入力しこの入力された検出結果からＴＭＤＳクロックの有無を判定するマイコンとを備え、
前記ＨＤＭＩソース機器との接続に切替後、前記マイコンが前記入力された検出結果がＴＭＤＳクロック有りであると判定した場合には前記ＴＭＤＳ信号を用いてＨＤＭＩシンク機器として働き、前記マイコンが前記入力された検出結果がＴＭＤＳクロック無しであると判定した場合にはＨＤＭＩシンク機器として働かないことを特徴とする電子機器。
【請求項２】
外部のＨＤＭＩ（High-Definition Multimedia Interface）ソース機器からのＴＭＤＳ（Transition Minimized Differential Signaling）信号を受けこのＴＭＤＳ信号からＴＭＤＳクロックの有無を検出しこの検出結果を出力するＨＤＭＩレシーバと、
前記ＨＤＭＩレシーバから出力される前記検出結果を入力しこの入力された検出結果からＴＭＤＳクロックの有無を判定するマイコンとを備え、
前記ＨＤＭＩソース機器との接続に切替後に規定長期間のホットプラグディテクト“Ｌ”信号を前記ＨＤＭＩソース機器へ出力し、前記マイコンが前記入力された検出結果がＴＭＤＳクロック有りであると判定した場合には前記ＴＭＤＳ信号を用いてＨＤＭＩシンク機器として働き、前記マイコンが前記入力された検出結果がＴＭＤＳクロック無しであると判定した場合には前記規定長より長い期間のホットプラグディテクト“Ｌ” 信号を前記ＨＤＭＩソース機器へ出力する延長処理を実行することを特徴とする電子機器。
【請求項３】
前記延長処理は更に前記ホットプラグディテクト“Ｌ”期間の漸増を繰り返し前記ホットプラグディテクト “Ｌ”期間が所定の長さに達した場合にはエラー処理を行うことを特徴とする請求項２に記載の電子機器。
【請求項４】
更に表示部を備え、前記マイコンが前記入力された信号がＴＭＤＳクロック検出信号であると判定した場合には前記ＴＭＤＳ信号を用いて前記表示部に前記ＴＭＤＳ信号を表示するＨＤＭＩシンク機器として働くことを特徴とする請求項１または請求項２に記載の電子機器。
【請求項５】
外部のＨＤＭＩ（High-Definition Multimedia Interface）ソース機器からのＴＭＤＳ（Transition Minimized Differential Signaling）信号を受けこのＴＭＤＳ信号からＴＭＤＳクロック検出信号を選別して出力するステップと、
この出力される信号を入力しこの入力された信号がＴＭＤＳクロック検出信号であるかないか判定するステップとを
含みＨＤＭＩシンク機器との接続に切替後、前記判定が前記入力された信号がＴＭＤＳクロック検出信号である場合には前記ＴＭＤＳ信号を用いてＨＤＭＩシンク機器として働き、前記判定が前記入力された信号がＴＭＤＳクロック検出信号でない場合にはエラー処理を行うことを特徴とする電子機器の制御方法。
【請求項６】
前記マイコンが前記入力された検出結果がＴＭＤＳクロック無しであると判定した場合にはエラー処理を行うことを特徴とする請求項１に記載の電子機器。
【発明の詳細な説明】
【技術分野】
【０００１】
本発明は、電子機器および電子機器の制御方法に係わり、特にＨＤＭＩシンク機器のＨＰＤ（ホットプラグディテクト）制御方法に関する。
【背景技術】
【０００２】
現在、テレビや録画装置等の間の映像信号および音声信号の伝達にＨＤＭＩ（Ｈｉｇｈ−ＤｅｆｉｎｉｔｉｏｎＭｕｌｔｉｍｅｄｉａ Ｉｎｔｅｒｆａｃｅ）規格が用いられつつある。しかし、ＨＤＭＩソース機器（ＤＶＤ−Ｐｌａｙｅｒなど）とＨＤＭＩシンク機器(ＴＶなど)との接続切替（ケーブルの抜差しまたは入力切替）時においてＨＰＤ(ホットプラグディテクト)を制御しソース機器の動作をリセット(“L”パルス)させるようにするが、ＨＤＭＩソース機器によってはリセット（初期化）不良の為、信号出力を止めてしまい結果的に映像が表示できない問題があった。
【０００３】
対して特許文献１にあるようにＨＤＭＩソース機器側でリセットパルスの幅をその機器に合わせた長さ以上とする試みはありこれも一つの方法ではあるが、ＨＤＭＩシンク機器側からの対策も求められるものである。
【先行技術文献】
【特許文献】
【０００４】
【特許文献１】特開２００７−３２９５９４号公報
【発明の概要】
【発明が解決しようとする課題】
【０００５】
本発明は、ＨＤＭＩソース機器のリセット不良をＨＤＭＩシンク機器が検知する技術を提供することを目的とする。
【課題を解決するための手段】
【０００６】
上記課題を解決するために、本発明の電子機器は、外部のＨＤＭＩ（High-Definition Multimedia Interface）ソース機器からのＴＭＤＳ（Transition Minimized Differential Signaling）信号を受けこのＴＭＤＳ信号からＴＭＤＳクロックの有無を検出しこの検出結果を出力するＨＤＭＩレシーバと、前記ＨＤＭＩレシーバから出力される前記検出結果を入力しこの入力された検出結果からＴＭＤＳクロックの有無を判定するマイコンとを備え、前記ＨＤＭＩソース機器との接続に切替後、前記マイコンが前記入力された検出結果がＴＭＤＳクロック有りであると判定した場合には前記ＴＭＤＳ信号を用いてＨＤＭＩシンク機器として働き、前記マイコンが前記入力された検出結果がＴＭＤＳクロック無しであると判定した場合にはＨＤＭＩシンク機器として働かないことを特徴とする。
【発明の効果】
【０００７】
本発明によれば、ＨＤＭＩソース機器のリセット不良をＨＤＭＩシンク機器が検知することができる。
【図面の簡単な説明】
【０００８】
【図１】本発明の一実施形態に係わるＨＤＭＩシステムを示す概略図。
【図２】本発明の一実施形態に係わるテレビの構成を示すブロック図。
【図３】本発明のＨＤＭＩホットプラグディテクト（ＨＰＤ）制御の構成を示す概略ブロック図。
【図４】ＩＩＣインタフェースを説明するための図。
【図５】実施例ブロック図。
【図６】同実施形態のＨＰＤタイミング図。
【図７】同実施形態に用いられるホットプラグディテクト（ＨＰＤ）制御のフローチャート例。
【図８】従来のＨＤＭＩホットプラグディテクト（ＨＰＤ）制御の構成を示す概略ブロック図。
【発明を実施するための形態】
【０００９】
以下、本発明の実施形態を説明する。なお、同一要素には同一符号を用い、重複する説明は省略する。
（実施形態１）
本発明による実施形態１を図１乃至図６を参照して説明する。
図１は、本発明の第１の実施形態に係わるＨＤＭＩ（High-Definition Multimedia Interface）システムを示す概略図である。
【００１０】
ＨＤＭＩシステム１００は、アンテナから地上デジタル放送波を受信し復調して表示、または外部入力から映像信号を受信して表示する電子機器であるテレビ１と、ＨＤＤＶＤ（High-Definition Digital Versatile Disc）やＤＶＤ等のメディアを再生するＤＶＤプレーヤ３と、ＢＳ（Broadcast Satellite）やＣＳ（Communication Satellite）等の衛星放送を受信して復調するチューナとしてのセットトップボックス４と、放送および外部入力からの映像信号を記録し、記録したコンテンツを外部に出力可能なＨＤＤ（Hard Disc Drive）レコーダ５とを有し、それぞれを図示するようにＨＤＭＩケーブル６１，６２，６３で接続することで構成される。リモコン１Ｂは、テレビ１を操作する専用リモコンであるが、ＨＤＭＩケーブル６１，６２，６３を介して他の電子機器に命令信号を送信して操作することも可能である。
【００１１】
テレビ１は、ＨＤＭＩケーブル６１，６２，６３で接続された各電子機器との接続を、テレビ１の電源投入時に確認するほか、通常動作中に定期的に確認する。接続確認の情報の送受信はＨＤＭＩケーブル６１，６２，６３のＣＥＣ制御ラインを用いて行う。
【００１２】
図２は、本発明の第１の実施の形態に係わるテレビの構成を示すブロック図である。
テレビ１は、チューナ１０、信号処理部１１、映像処理部１２Ａ、表示処理部１３Ａ、表示部１４Ａ、音声処理部１２Ｂ、音声出力処理部１３Ｂ、スピーカ１４Ｂ、ＨＤＭＩ受信部１５、ＣＰＵ（Central Processing Unit）１６、ＲＡＭ（RandomAccess Memory）１７、ＲＯＭ（Read Only Memory）１８、操作部１９、受光部２０から構成されている。
【００１３】
チューナ１０は、アンテナ１Ａを介して地上デジタルテレビ放送波（放送信号）を受信し、放送波を復調して番組信号を出力する。信号処理部１１は、チューナ１０の出力を映像データ、音声データ、字幕データ等の種別に分別して処理する。映像処理部１２Ａは、信号処理部１１の映像データおよび字幕データの出力をデコードする。表示処理部１３Ａは、映像処理部１２Ａの出力を表示用の映像信号に変換して出力する。
【００１４】
表示部１４Ａは、表示処理部１３Ａの出力をＬＣＤ（Liquid Crystal Display）等の表示手段に表示する。音声処理部１２Ｂは、信号処理部１１の音声データの出力をデコードする。音声出力処理部１３Ｂは、音声処理部１２Ｂの出力を音声信号に変換して出力する。スピーカ１４Ｂは、音声出力処理部１３Ｂの出力を音声に変換する。ＨＤＭＩ受信部１５は、ＨＤＭＩケーブル６１，６２，６３のＨＤＭＩライン６１Ｂ、６２Ｂ、６３Ｂを介して外部から映像データおよび音声データを受信する。
【００１５】
ＣＰＵ１６は、ＨＤＭＩケーブル６１，６２，６３のＣＥＣ制御ライン６１Ｃ，６２Ｃ，６３Ｃを介して外部からＣＥＣ制御データを送受信しテレビ１の各部を制御する。ＲＡＭ１７は、ＣＰＵ１６が処理するデータを一時的に記憶する。ＲＯＭ１８は、ファームウエア等のデータを不揮発に記録する。操作部１９は、複数のスイッチ等からなり、これらスイッチの入力に基づいてテレビ１を操作する。受光部２０は、リモコン１Ｂから赤外線信号を用いて送信される命令を受信する。各部は、バス２１によって相互に接続される。
【００１６】
なお、ＨＤＭＩケーブル６１，６２，６３は、図示しないレセプタクルに接続されＨＤＭＩのインターフェースを介してＨＤＭＩ受信部１５およびＣＰＵ１６にそれぞれ接続される。
【００１７】
さて図８は、従来のＨＤＭＩホットプラグディテクト（ＨＰＤ）制御の構成を示す概略ブロック図である。ＨＤＭＩソース機器３１１とＨＤＭＩシンク機器８１０がＨＤＭＩで接続されている様子を示している。
【００１８】
ＨＤＭＩシンク機器８１０はＨＤＭＩレシーバ８０１とマイコン８０３とを備えている。ＨＤＭＩレシーバ８０１はＨＤＭＩソース機器３１１によるＤＤＣ（Display Data Channel）ラインの制御のもとにＴＭＤＳ（Transition Minimized Differential Signaling）を受信する。マイコン８０３はＨＤＭＩソース機器３１１からの５Ｖ−Ｐｏｗｅｒを受けるとＨＰＤ信号をソース機器３１１へ出力するように構成されている。
【００１９】
対して図３は、実施形態のＨＤＭＩホットプラグディテクト（ＨＰＤ）制御の構成を示す概略ブロック図である。ＨＤＭＩソース機器３１１とＨＤＭＩシンク機器３１０がＨＤＭＩで接続されている様子を示している。
【００２０】
ＨＤＭＩシンク機器３１０はＨＤＭＩレシーバ３０１とマイコン３０３とを備えている。ＨＤＭＩレシーバ３０１はＨＤＭＩソース機器３１１によるＤＤＣラインの制御のもとにＴＭＤＳを受信する。マイコン３０３はＨＤＭＩソース機器３１１からの５Ｖ−Ｐｏｗｅｒを受けるとＨＰＤ信号をソース機器３１１へ出力するように構成されている。図８のような構成に加えて、ＨＤＭＩレシーバ３０１はＴＭＤＳ−ＣＬＫを検出しマイコン３０３へ通知するように構成されている。ＴＭＤＳ−ＣＬＫは３組のＴＭＤＳデータと同期するクロックであり、マイコン３０３はこのクロックをＨＤＭＩレシーバ３０１から受け取るか否かにより、ＨＤＭＩソース機器３１１とリンクが取れているか判定できる。マイコン３０３がＨＤＭＩソース機器３１１からの５Ｖ−Ｐｏｗｅｒを受け取っているにもかかわらず上記クロックを受け取ってなければ、エラー処理をすることができる。
【００２１】
ＨＤＭＩのクロックとしては他にＤＤＣラインのＳＣＬ（シリアルクロック）もある。ＤＤＣラインは、このＳＣＬとデータラインであるＳＤＡ（シリアルデータ）とからなるＩＩＣインタフェース方式に準拠したシリアルバスによって指令を受ける構成となっている。
【００２２】
図４は、ＩＩＣインタフェースを説明するための図である。ＩＩＣインタフェースのバスは、マスタデバイスから出力されるプルアップされたクロックと、マスタデバイスとスレーブデバイスとの双方向通信を行うデータとの２本の通信線から成り立っている。
【００２３】
図４（ａ）は、スレーブアドレスの構成例を示したものである。スレーブアドレスは8 ビット長で、上位4 ビットはデバイスの種類に応じて固定的に決まっている。また下位1 ビットは0 のとき書き込みで、1 のとき読み込みを表す。したがってスレーブアドレスで実際上使えるのはビット1 から3 までになる。
【００２４】
図４（ｂ）は２線のタイミングの概略図であり、上側のようにデータ線がＬＯＷになることによってＳｔａｒｔとなり、上位ビットから以下データが送られていき、データ線がＨＩＧＨになることによってＳｔｏｐ状態となる。対応するクロック線のタイミングは下側のようである。図４（ｂ）は１バイト転送の例であるが、データとＡＣＫをＳｔｏｐ状態までに複数繰り返せば、最初のバイトはスレーブアドレスだが残りのバイトは通信内容とすることができる。
【００２５】
図５は、本実施形態のＨＤＭＩホットプラグディテクト（ＨＰＤ）制御の構成を示す概略機能ブロック図である。ＨＤＭＩシンク機器としては例えば図２のＨＤＭＩ受信部１５が主に受け持つ機能を表す。以下、ＴＶの場合の実施例を示す。図３と同様の構成であるが図２のＴＶのようにＨＤＭＩ端子がありＴＭＤＳのクロック検出回路がマイコンと接続されていることを特徴とする。即ちＨＤＭＩソース機器である図１のＤＶＤプレーヤ３に対応するＤＶＤ‐Ｐｌａｙｅｒ５１１と、ＨＤＭＩシンク機器であるＴＶセット５１０がＨＤＭＩで接続されている様子を示している。
【００２６】
ＴＶセット５１０はＨＤＭＩレシーバ５０１とマイコン５０３とを備えている。ＨＤＭＩレシーバ５０１はＤＶＤ‐Ｐｌａｙｅｒ５１１によるＤＤＣラインの制御のもとにＴＭＤＳを受信する。マイコン５０３はＤＶＤ‐Ｐｌａｙｅｒ５１１からの５Ｖ−Ｐｏｗｅｒを受けるとＨＰＤをＤＶＤ‐Ｐｌａｙｅｒ５１１へ出力するように構成されている。３組のＴＭＤＳデータと同期するクロックＴＭＤＳ−ＣＬＫに関し、マイコン５０３はこのクロックをＨＤＭＩレシーバ５０１から受け取るか否かにより、ＤＶＤ‐Ｐｌａｙｅｒ５１１とリンクが取れているか判定できる。マイコン５０３がＤＶＤ‐Ｐｌａｙｅｒ５１１からの５Ｖ−Ｐｏｗｅｒを受け取っているにもかかわらず上記クロックを受け取ってなければ、エラー処理をすることができる。このエラー処理の一例として、信号処理部１１を介してテレビ１の表示部１４Ａの画面上にユーザーへ向けた「ＨＤＭＩ−＊がつながりません」といったエラーメッセージを表示するよう指令を行う。
【００２７】
（実施形態２）
本発明による実施形態２を図１乃至図７を参照して説明する。実施形態１と共通する部分は説明を省略する。
実施形態２は、実施形態１に記述された特徴を持つＴＶで更に、ホットプラグディテクトの“Ｌ”期間の時間をＴＭＤＳのクロック検出によりマイコンで制御する機能を有するＴＶである。
【００２８】
例えば、図７にあるようなホットプラグディテクト“Ｌ”期間の延長のフローチャートでマイコン  が実施する。
ステップＳ７０１：５Ｖ−Ｐｏｗｅｒを検出する。
ステップＳ７０２：ＨＰＤを“Ｈ”にする。
ステップＳ７０３：ＨＰＤの“Ｌ”期間を５００ｍｓｅｃに設定しＨＰＤを“Ｌ”にする。
ステップＳ７０４：ＨＰＤを"Ｈ"にする。
ステップＳ７０５：ＴＭＤＳラインのクロック検出ができたか判定する。このクロック検出ができたと判定された場合は処理を終了する。
ステップＳ７０６：ステップＳ７０５でクロック検出ができなかったと判定された場合は係数αに１をセットする。
ステップＳ７０７：係数βを、αに１００ｍｓｅｃを乗じた値とする。
ステップＳ７０８：ＨＰＤの“Ｌ”期間を（５００＋β）ｍｓｅｃに設定しＨＰＤを“Ｌ”にする。
ステップＳ７０９：ＨＰＤを"Ｈ"にする。
ステップＳ７１０：ＴＭＤＳラインのクロック検出ができたか判定する。このクロック検出ができたと判定された場合は処理を終了する。
ステップＳ７１１：ステップＳ７１０でクロック検出ができなかったと判定された場合は係数αが１０に達したか判定し、１０に達したと判定された場合は処理を終了する。実施形態１で述べたようなエラー処理を行うのもよい。
【００２９】
ステップＳ７１２：ステップＳ７１１で係数αが１０に達したと判定されなかった場合は、係数αに１を足しステップＳ７０７に戻る。
実施形態２では、実施形態１がＨＰＤの“Ｌ”期間が５００ｍｓｅｃの固定長であったのに対し、ＨＰＤの“Ｌ”期間を１５００ｍｓｅｃまでソース機器に許容している。
【００３０】
上記のステップＳ７０５またはステップＳ７１０でクロック検出ができたと判定され処理を終了した場合は、この時のＨＰＤの“Ｌ”期間によって当該ＨＤＭＩ入力ポートをＨＰＤキャリブレーション制御することができたこととなる。
【００３１】
以上の実施例で述べたようにＴＶは、ＨＤＭＩの不具合を抱えたＨＤＭＩソース機器の接続により、ＴＶに接続されているＨＤＭＩ入力を有する全てのＨＤＭＩソース機器との接続性（画面表示）問題を回避することができるという効果がある。
【００３２】
本実施形態によってＨＤＭＩシンク機器におけるＨＤＭＩソース機器の接続性が安定し、信号が表示出来ない問題を回避することができる。
なお、この発明は上記実施形態に限定されるものではなく、この外その要旨を逸脱しない範囲で種々変形して実施することができる。例えば、本発明のＨＤＭＩシンク機器をTVのみに限定するものではない。本発明はＨＤＭＩのシステムを構築できるＨＤＭＩシンク機器とＨＤＭＩソース機器の組合せからなるシステム全般に適用できる。またＨＰＤキャリブレーションを行うかどうかの選択をリモコンを用いて電子機器と対話的に設定できるようにしてもよい。
【００３３】
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【符号の説明】
【００３４】
１…テレビ、１Ｂ…リモコン、１６…ＣＰＵ、６１〜６３…ＨＤＭＩケーブル、６１Ａ〜６３Ａ…ＣＥＣ制御ライン、６１Ｃ〜６３Ｃ…ＣＥＣ制御ライン、２０…比較器、３０１…ＨＤＭＩレシーバ、３０３…マイコン、３１０…ＨＤＭＩシンク機器、３１１…ＨＤＭＩソース機器。
【図１】
2011035452.tif 000003
【図２】
2011035452.tif 000004
【図３】
2011035452.tif 000005
【図４】
2011035452.tif 000006
【図５】
2011035452.tif 000007
【図６】
2011035452.tif 000008
【図７】
2011035452.tif 000009
【図８】
2011035452.tif 000010